(57)【特許請求の範囲】
【請求項１】
スキャン部を有するスキャナターミナルであって、
前記装置本体を保持するために設けられた保持部と、
前記保持部に向かって所定のタイミングで送風を行うための送風部を有することを特徴とするスキャナターミナル。
【請求項２】
前記所定のタイミングは、前記スキャン部による読み取り完了時であることを特徴とする請求項１に記載のスキャナターミナル。
【請求項３】
前記所定のタイミングは、操作上のエラー発生時であることを特徴とする請求項１に記載のスキャナターミナル。
【請求項４】
前記送風部は、外気を取り込んで風を送出するためのファンと、給排気のための吸気スリット及び噴出スリットを有することを特徴とする請求項１〜３のいずれか１項に記載のスキャナターミナル。
【請求項５】
前記噴出スリットは、前記保持部の保持面よりも下方に配置されていることを特徴とする請求項４に記載のスキャナターミナル。
【請求項６】
前記装置本体の一面には、表示部とキー操作部が配置されており、
前記装置本体の他面には、前記スキャン部、前記保持部及び前記送風部が配置されていることを特徴とする請求項１〜５のいずれか１項に記載のスキャナターミナル。
【請求項７】
前記送風部は、前記スキャン部と前記保持部との間に配置されていることを特徴とする請求項１〜６のいずれか１項に記載のスキャナターミナル。
【請求項８】
前記ファンは、前記吸気スリット及び噴出スリットとの間に配置されていることを特徴とする請求項４〜７のいずれか１項に記載のスキャナターミナル。
【請求項９】
前記スキャナターミナルは電池駆動型であることを特徴とする請求項１〜８のいずれか１項に記載のスキャナターミナル。
【発明の詳細な説明】
【技術分野】
【０００１】
本発明は、スキャン部を有するスキャナターミナルに関する。
【背景技術】
【０００２】
近年、ＰＯＳ（Ｐｏｉｎｔ  ｏｆ  Ｓａｌｅｓ、販売時点情報管理）システムにおいては、商品に付けられたバーコードをバーコードスキャン部で読み取っている（例えば、実開昭６２−８９０５９号公報（特許文献１）参照）。
【０００３】
このバーコードの読み取りには、従来から、スキャナターミナルが広く使用されている。この場合、従来のスキャナターミナルでは、商品のバーコードの読み取り時やエラー発生時にブザーを鳴動したり、振動を発生させたりしていた。
【０００４】
しかし、ブザーの鳴動による方法では、周囲に対する騒音が発生したり、聴覚障害者にとっては有効でないという問題があった。
【０００５】
また、振動を発生させる方法では、振動の発生により、ネジの緩みなどを発生させるという問題があった。
【先行技術文献】
【特許文献】
【０００６】
【特許文献１】実開昭６２−８９０５９号公報
【発明の概要】
【発明が解決しようとする課題】
【０００７】
本発明の目的は、上述した従来技術の課題を解決するための技術を提供することにあり、操作時に周囲に対する騒音や振動を発生させることのないスキャナターミナルを提供することにある。
【課題を解決するための手段】
【０００８】
本発明は、スキャン部を有するスキャナターミナルであって、
前記装置本体を保持するために設けられた保持部と、
前記保持部に向かって所定のタイミングで送風を行うための送風部を有することを特徴とする。
【発明の効果】
【０００９】
本発明によれば、周囲に対する騒音や振動を発生させることなく、スキャナターミナルを操作することができる。
【図面の簡単な説明】
【００１０】
【図１】本発明の実施の形態に係るスキャナターミナルの表面の構成を示す図であり、操作者が第１の保持方法でスキャナターミナルを保持している状態を示す。
【図２】本発明の実施の形態に係るスキャナターミナルの裏面の構成を示す図であり、操作者が第１の保持方法でスキャナターミナルを保持している状態を示す。
【図３】本発明の実施の形態に係るスキャナターミナルの表面の構成を示す図であり、操作者が第２の保持方法でスキャナターミナルを保持している状態を示す。
【図４】本発明の実施の形態に係るスキャナターミナルの裏面の構成を示す図であり、操作者が第２の保持方法でスキャナターミナルを保持している状態を示す。
【図５】本発明の実施の形態に係るスキャナターミナルの側面を示す図である。
【発明を実施するための形態】
【００１１】
本発明の実施の形態について図面を参照して詳細に説明する。
【００１２】
図１及び図２を参照して、本発明の実施の形態に係るスキャナターミナルの構成について説明する。ここで、図１はスキャナターミナルの表面の構成を示し、図２はスキャナターミナルの裏面の構成を示す。
【００１３】
まず、図１を参照すると、スキャナターミナル１の表面には、表示部２とキー操作部３が配置されている。ここで、スキャナターミナル１は電池駆動型のハンディタイプである。
【００１４】
また、図２を参照すると、スキャナターミナル１の裏面には、先端に設けられたバーコードスキャン部４、操作者が手５で装置本体を保持するために設けられた保持部６と、保持部６に向かって所定のタイミングで送風を行うための送風部（風圧発生モジュール）７がそれぞれ設けられている。このように、送風部７が保持部６に向かって所定のタイミングで送風を行うので、操作者の手５の人差し指５０Ａには風１００を拭き当てられることになる。ここで、送風部７は、バーコードスキャン部４と保持部６との間に配置されている。
【００１５】
送風部７は、外気を取り込んで風を送出するためのファン７１と、給排気のための吸気スリット７２及び噴出スリット７３を有する。ファン７１は、吸気スリット７２及び噴出スリット７３との間に配置されている。ここで、図５に示すように、噴出スリット７３は、保持部６の保持面Ａよりも下方に配置されている。
【００１６】
ここで、上述のように、送風部７は保持部６に向かって所定のタイミングで送風を行うが、この所定のタイミングは、バーコードスキャン部４による商品のバーコードの読み取り完了時あるいは操作上のエラー発生時である。
【００１７】
図１及び図２は、操作者が第１の保持方法でスキャナターミナル１を保持している状態を示している。ここで、第１の保持方法とは、送風部７からの風１００が操作者の手５（左手）の人差し指５０Ａに当たるような保持方法を示す。
【００１８】
これに対して、図３及び図４は、操作者が第２の保持方法でスキャナターミナル１を保持している状態を示している。ここで、第２の保持方法とは、送風部７からの風１００が操作者の手５（左手）の中指５０Ｂに当たるような保持方法を示す。
【００１９】
図３は、スキャナターミナル１の表面の構成を示し、図４は、スキャナターミナル１の裏面の構成を示す。これらの構成は、図１及び図２に示す構成と同じなのでその説明は省略する。
【００２０】
次に、本発明の実施の形態に係るスキャナターミナル１の動作（使用方法）について説明する。
【００２１】
図１〜図４に示すように、操作者は手５（左手）で保持部６を握って装置本体を保持する。この場合、図１及び図２では、送風部７からの風１００が操作者の手５（左手）の人差し指５０Ａに拭き当てられるように装置本体を保持する（第１の保持方法）。また、図３及び図４では、送風部７からの風１００が操作者の手５（左手）の中指５０Ｂに当たるように装置本体を保持する（第２の保持方法）。
【００２２】
ここで、図５に示すように、噴出スリット７３は、保持部６の保持面Ａよりも下方に配置されているので、送風部７からの風１００が操作者の人差し指５０Ａ（図２参照）あるいは中指５０Ｂ（図４参照）に効率的に当たるようになっている。
【００２３】
そして、バーコードスキャン部４による商品のバーコードの読み取り完了時（バーコードの読み込みがされたタイミング）あるいは操作上のエラー発生時に、送風部７のファン７１が駆動されて、ファン７１から外気が取り込まれて吸気スリット７２及び噴出スリット７３を介して給排気が行われる。このようにして、上記タイミングで、送風部７からの風１００が操作者の人差し指５０Ａ（図２参照）あるいは中指５０Ｂ（図４参照）に効率的に当てられる。この結果、操作者は、バーコードの読み取りが完了した状態（バーコードの読み取りが正しく完了した状態）あるいは操作上のエラーが発生した状態を知ることができる。
【００２４】
本発明の実施の形態によれば、バーコードの読み取り完了時や操作の過程でのエラー発生時に操作者の手５の人差し指５０Ａ（図２参照）あるいは中指５０Ｂ（図４参照）に風１００を当てることにより、ブザーの鳴動や装置の振動をさせることなく、その状態を操作者に知らしめることができる。
【００２５】
以上、本発明の実施の形態について具体的に説明したが、本発明は上述の実施形態に限定されるものではなく、本発明の技術的思想に基づく各種の変形が可能である。
【００２６】
例えば、上記実施の形態では、送風部７からの風１００を操作者の人差し指５０Ａ（図２参照）あるいは中指５０Ｂ（図４参照）に送出するタイミングは、バーコードスキャン部４によるバーコードの読み取り完了時あるいは操作上のエラー発生時であるが、本発明はこのタイミングに限定されず、操作者へ注意を喚起するためのタイミングならば他のいかなるタイミングでも良い。
【００２７】
また、上記実施の形態では、送風部７からの風１００を操作者の人差し指５０Ａ（図２参照）あるいは中指５０Ｂ（図４参照）に送出しているが、操作者へ注意を喚起できるのならば、人差し指５０Ａあるいは中指５０Ｂ以外の他の指に送出しても良い。
【００２８】
また、上記実施の形態では、スキャナターミナルは電池駆動型のハンディタイプであるが、有線で電源を供給するものであっても良い。
【００２９】
また、上記実施の形態では、スキャナターミナルは、バーコードスキャン部を有しているが、ＲＦＩＤ（Radio Frequency Identification）をスキャンするスキャン部を有する、電池駆動型のハンディタイプ、もしくは、有線で電源を供給するものであっても良い。
【符号の説明】
【００３０】
１  スキャナターミナル
２  表示部
３  キー操作部
４  バーコードスキャン部
５  手
６  保持部
７  送風部
５０Ａ  人差し指
５０Ｂ  中指
７１  ファン
７２  吸気スリット
７３  噴出スリット
１００  風
【図１】
0005258067.tif 000002
【図２】
0005258067.tif 000003
【図３】
0005258067.tif 000004
【図４】
0005258067.tif 000005
【図５】
0005258067.tif 000006